(57)【特許請求の範囲】
【請求項１】
蓋部と、蓋受け止め部とを有し、前記蓋受け止め部が前記蓋部によって開閉する開口が形成されるとともに前記蓋部を上下方向へ旋回運動可能に支持し前記開口を閉じる方向へ旋回運動する前記蓋部を受け止めて離脱可能に係合させる蓋部開閉構造であって、
前記蓋部が前記開口を閉じている状態の前記蓋部開閉構造では、前記蓋部と前記蓋受け止め部との所要部位どうしが前記上下方向において互いに当接して前記開口を囲繞する周壁部を形成し、前記所要部位の少なくとも一方が柔軟弾性材料によって形成されていて、前記周壁部では、前記少なくとも一方が前記周壁部の径方向へ弾性変形した状態にあり、
前記周壁部では、前記蓋受け止め部において前記開口を囲繞するとともに前記蓋部に向かって延びる環状の起立部と、前記蓋部から前記蓋受け止め部に向かって延びる環状の垂下部とが、前記所要部位のそれぞれを形成しており、
前記起立部は、前記柔軟弾性材料によって形成されていて、前記垂下部に当接して弾性変形する頂部を有し、前記頂部は前記起立部の径方向の外側から内側に向かって上り勾配となるかまたは下り勾配となるいずれかの態様にあり、前記垂下部は前記頂部に当接するように延びているが、前記頂部に当接しても変形することのない硬質材料で形成されていて、
前記蓋受け止め部は、前記柔軟弾性材料で形成された板状部を有し、前記板状部には前記開口と環状の前記起立部とが形成され、前記起立部の径方向内側では、前記板状部の一部分が前記硬質材料でサンドウィッチされた状態にあることを特徴とする蓋部開閉構造。
【請求項２】
前記蓋受け止め部は、前記開口を閉じている前記蓋部と対向する表面と、前記表面の反対面である裏面とを有し、前記裏面の少なくとも一部分に粘着域が形成されている請求項１記載の蓋部開閉構造。
【請求項３】
収納した物品を取り出すための開口が頂面部に形成された容器部と、前記容器部に取り付けられて前記開口を開閉できる蓋部とを有する前記物品の収納容器であって、
前記収納容器には、前記蓋部と、前記頂面部にあって前記蓋部を旋回運動可能に支持し前記開口を閉じる方向へ旋回運動する前記蓋部を受け止めて離脱可能に係合させる蓋受け止め部とを有する蓋部開閉構造が使用され、
前記蓋部は、前記開口を開く方向へ付勢されていて、前記容器部に向かって延びるラッチが形成され、前記蓋受け止め部には前記ラッチに対するキーパー部が形成され、前記キーパー部は、前記ラッチを上方から下方に向かって案内する進入路と、前記ラッチを前記下方から前記上方に向かって案内する退出路と、前記進入路と前記退出路との最下端部それぞれにつながり前記最下端部それぞれよりも前記上方に位置して前記ラッチを係合させて静止させることにより付勢されている前記蓋部を閉じた状態に維持することができるラッチ係合部とを有し、
前記蓋部が前記開口を閉じている状態の前記蓋部開閉構造では、前記蓋部と前記蓋受け止め部との所要部位どうしが前記上下方向において互いに当接して前記開口を囲繞する周壁部を形成し、前記所要部位の少なくとも一方が柔軟弾性材料によって形成されていて、前記周壁部では、前記少なくとも一方が前記周壁部の径方向へ弾性変形可能であって、前記ラッチが、前記キーパー部の前記最下端部それぞれに位置しているときにおいても前記キーパー部の前記ラッチ係合部に位置しているときにおいても、弾性変形した状態にあり、
前記蓋受け止め部において前記開口を囲繞するとともに前記蓋部に向かって延びる環状の起立部と、前記蓋部において前記蓋受け止め部に向かって延びる環状の垂下部とが前記所要部位のそれぞれを形成しており、前記蓋部が前記開口を閉じている状態では、前記起立部と前記垂下部とが前記上下方向において互いに当接して前記周壁部を形成していて、
前記起立部と前記垂下部とは、一方が前記柔軟弾性材料によって形成され、もう一方が硬質材料によって形成されており、
前記蓋受け止め部は、前記柔軟弾性材料で形成された板状部を有し、前記板状部には前記開口と環状の前記起立部とが形成され、前記起立部の径方向内側では、前記板状部の一部分が前記硬質材料でサンドウィッチされた状態にあることを特徴とする収納容器。
【請求項４】
前記起立部と前記垂下部とが前記柔軟弾性材料によって形成されている請求項３記載の収納容器。
【請求項５】
前記起立部は、前記柔軟弾性材料によって形成されていて、前記垂下部に当接して弾性変形する頂部を有し、前記頂部は前記起立部の径方向の外側から内側に向かって上り勾配となるかまたは下り勾配となるいずれかの態様にあり、前記垂下部は前記頂部に当接するように延びているが、前記頂部に当接しても変形することのない前記硬質材料で形成されている請求項３記載の収納容器。
【請求項６】
前記起立部の表面には、隆起部が形成され、閉じている前記蓋部を開くために前記蓋部を前記容器部に向かって押圧すると、前記蓋部における前記垂下部が前記隆起部に前記上方から当接して、前記起立部と前記垂下部との間に前記周壁部の内外に通じる通気性の隙間が形成される請求項３−５のいずれかに記載の収納容器。
【請求項７】
前記容器部には、前記容器部の内外に通じる通気性の透孔が形成され、前記容器部に摺動可能に組み込まれた前記キーパー部が摺動することによって前記透孔が開閉される請求項３−６のいずれかに記載の収納容器。
【請求項８】
前記周壁部は、前記蓋受け止め部において前記開口を囲繞するとともに前記蓋部に向かって延びる弾性変形可能な前記起立部と、前記蓋部が閉じた状態にあるときに、前記起立部の頂部が当接する前記蓋部の内面とによって形成されている請求項３記載の収納容器。
【請求項９】
前記容器部には、前記容器部の内外に通じる通気性の透孔が形成され、前記容器部に摺動可能に組み込まれた前記キーパー部が摺動することによって前記透孔が開閉される請求項８記載の収納容器。
【発明の詳細な説明】
【技術分野】
【０００１】
本発明は、ティッシュペーパ等の物品を容器から取り出すために使用するのに好適な蓋部開閉構造とその構造を使用した収納容器とに関する。
【背景技術】
【０００２】
積層状態にあるティッシュペーパを収納し、そのティッシュペーパの１枚ずつを取り出すことのできる収納容器は従来よく知られている。また、収納したティッシュペーパを取り出すための開口を有している容器部に対して往復旋回運動可能に蓋を取り付けて、その蓋を使用して開口を開閉することのできる収納容器は公知である。
【０００３】
例えば、特開２００７−２６１６７０号公報（特許文献１）に記載のワンタッチ開閉容器は、プッシュロック／プッシュオープン型のロック機構を採用した気密性容器であって、容器部とキャップと蓋とを有する。キャップは、ヒンジ機構を介して容器部に取り付けられていて、そのヒンジ機構を中心に往復旋回運動して容器部の開口を開閉する。この容器では、蓋を閉じると、ＰＰやＡＢＳ樹脂で作られた蓋の内面におけるシール用リブがキャップにおける円筒状のパッキングの平坦な頂部に突き当たる。パッキングはエラストマーで形成されていて、蓋とキャップとの間が気密状態になる。
【先行技術文献】
【特許文献】
【０００４】
【特許文献１】特開２００７−２６１６７０号公報
【発明の概要】
【発明が解決しようとする課題】
【０００５】
前記従来の開閉容器では、エラストマーで形成されている円筒状のパッキングが容器部の頂部に取り付けられている。開いた蓋部が旋回運動して閉じようとするときに、蓋部におけるリング状リブは、まず初めに、ヒンジ機構に近い部分がパッキングの頂部に突き当たり、その後にパッキングの頂部に対するリブの突き当たる範囲がパッキングの周方向に広がり、蓋部が閉じたときには、リブがパッキングの全周に対して軸方向から突き当って、開閉容器が気密性のものになる。また、この開閉容器はプッシュロック／プッシュオープン型のロック機構を採用していて、蓋部を開閉しようとするたびにその蓋部を押して、パッキングを軸方向において圧縮変形させる。しかるに、このような開閉容器では、円筒状のパッキングをその軸方向において変形させるには大きな力を要する場合が多いから、この開閉容器の用途の如何によっては、パッキングに対して蓋部を気密状態となるように閉じることが容易ではないという問題を生じる可能性がある。
本発明が課題とするところは、このような問題を解消することのできる蓋部開閉構造とそれを使用した収納容器の提供である。
【課題を解決するための手段】
【０００６】
前記課題を解決するための本発明は、蓋部開閉構造に係る第１発明と、その構造を使用した収納容器に係る第２発明とを含んでいる。
【０００７】
第１発明が対象とするのは、蓋部と、蓋受け止め部とを有し、前記蓋受け止め部が前記蓋部によって開閉する開口が形成されるとともに前記蓋部を上下方向へ旋回運動可能に支持し前記開口を閉じる方向へ旋回運動する前記蓋部を受け止めて離脱可能に係合させる蓋部開閉構造である。
【０００８】
第１発明が特徴とするところは、次のとおりである。前記蓋部が前記開口を閉じている状態の前記蓋部開閉構造では、前記蓋部と前記蓋受け止め部との所要部位どうしが前記上下方向において互いに当接して前記開口を囲繞する周壁部を形成し、前記所要部位の少なくとも一方が柔軟弾性材料によって形成されていて、前記周壁部では、前記少なくとも一方が前記周壁部の径方向へ弾性変形した状態にあり、前記周壁部では、前記蓋受け止め部において前記開口を囲繞するとともに前記蓋部に向かって延びる環状の起立部と、前記蓋部から前記蓋受け止め部に向かって延びる環状の垂下部とが、前記所要部位のそれぞれを形成しており、前記起立部は、前記柔軟弾性材料によって形成されていて、前記垂下部に当接して弾性変形する頂部を有し、前記頂部は前記起立部の径方向の外側から内側に向かって上り勾配となるかまたは下り勾配となるいずれかの態様にあり、前記垂下部は前記頂部に当接するように延びているが、前記頂部に当接しても変形することのない硬質材料で形成されていて、前記蓋受け止め部は、前記柔軟弾性材料で形成された板状部を有し、前記板状部には前記開口と環状の前記起立部とが形成され、前記起立部の径方向内側では、前記板状部の一部分が前記硬質材料でサンドウィッチされた状態にある。
【０００９】
第２発明が対象とするのは、収納した物品を取り出すための開口が頂面部に形成された容器部と、前記容器部に取り付けられて前記開口を開閉できる蓋部とを有する前記物品の収納容器である。
【００１０】
第２発明が特徴とするところは、次のとおりである。前記収納容器には、前記蓋部と、前記頂面部にあって前記蓋部を旋回運動可能に支持し前記開口を閉じる方向へ旋回運動する前記蓋部を受け止めて離脱可能に係合させる蓋受け止め部とを有する蓋部開閉構造が使用され、前記蓋部は、前記開口を開く方向へ付勢されていて、前記容器部に向かって延びるラッチが形成され、前記蓋受け止め部には前記ラッチに対するキーパー部が形成され、前記キーパー部は、前記ラッチを上方から下方に向かって案内する進入路と、前記ラッチを前記下方から前記上方に向かって案内する退出路と、前記進入路と前記退出路との最下端部それぞれにつながり前記最下端部それぞれよりも前記上方に位置して前記ラッチを係合させて静止させることにより付勢されている前記蓋部を閉じた状態に維持することができるラッチ係合部とを有し、前記蓋部が前記開口を閉じている状態の前記蓋部開閉構造では、前記蓋部と前記蓋受け止め部との所要部位どうしが前記上下方向において互いに当接して前記開口を囲繞する周壁部を形成し、前記所要部位の少なくとも一方が柔軟弾性材料によって形成されていて、前記周壁部では、前記少なくとも一方が前記周壁部の径方向へ弾性変形可能であって、前記ラッチが、前記キーパー部の前記最下端部それぞれに位置しているときにおいても前記キーパー部の前記ラッチ係合部に位置しているときにおいても、弾性変形した状態にあり、前記蓋受け止め部において前記開口を囲繞するとともに前記蓋部に向かって延びる環状の起立部と、前記蓋部において前記蓋受け止め部に向かって延びる環状の垂下部とが前記所要部位のそれぞれを形成しており、前記蓋部が前記開口を閉じている状態では、前記起立部と前記垂下部とが前記上下方向において互いに当接して前記周壁部を形成していて、前記起立部と前記垂下部とは、一方が前記柔軟弾性材料によって形成され、もう一方が硬質材料によって形成されており、前記蓋受け止め部は、前記柔軟弾性材料で形成された板状部を有し、前記板状部には前記開口と環状の前記起立部とが形成され、前記起立部の径方向内側では、前記板状部の一部分が前記硬質材料でサンドウィッチされた状態にある。
【発明の効果】
【００１１】
本発明のうちの第１発明に係る蓋部開閉構造は、蓋部と蓋受け止め部との所要部位どうしが上下方向において互いに当接して蓋受け止め部の開口を囲繞する周壁部を形成する。所要部位の少なくとも一方は柔軟弾性材料によって形成されていて、周壁部の径方向へ弾性変形可能であるから、蓋部と蓋受け止め部とを気密状態で閉じることが容易である。
【００１２】
本発明のうちの第２発明に係る収納容器では、蓋部開閉構造を形成している蓋部と蓋受け止め部との所要部位どうしが当接して、蓋受け止め部における開口を囲繞する環状の周壁部を形成する。所要部位の少なくとも一方は柔軟弾性材料によって形成されていて、周壁部の径方向へ弾性変形可能であるから、蓋部におけるラッチが容器部のキーパー部における進入路と退出路との最下端部それぞれに位置しているときでも、キーパー部における係合部に位置しているときでも、蓋部と蓋受け止め部とを気密状態で閉じておくことが容易である。
【図面の簡単な説明】
【００１３】
図面は、本発明の特定の実施の形態を示し、発明の不可欠な構成ばかりでなく、選択的及び好ましい実施の形態を含む。
【図１】本発明に係る収納容器の斜視図。
【図２】図１のＩＩ−ＩＩ線断面図。
【図３】図１のＩＩＩ−ＩＩＩ線断面図。
【図４】ラッチとラッチ受け部の一連の動きを示す図３のＩＶ−ＩＶ線矢視図。
【図５】実施態様の一例を示す図３と同様な図。
【図６】実施態様の一例を示す図３と同様な図。
【図７】実施態様の一例を示す図４の（ｅ）と同様な図。
【図８】実施態様の一例を示す構造体の斜視図。
【図９】蓋部が開いた状態にある図８と同様な図。
【図１０】図８のＸ−Ｘ線断面図。
【発明を実施するための形態】
【００１４】
本発明に係る収納容器として、ティッシュペーパの収納容器を例にとり、添付の図面を参照して本発明の詳細を説明すると、以下のとおりである。以下における実施形態は、本発明の欠くことのできない要件を含む他に、選択的に採用することのできる要件及び適宜に組み合わせることのできる要件を含んでいる。
【００１５】
図１において斜視図で示された収納容器１０は、ウエットティシュのごとき後記ティッシュペーパ９を収納するのに好適なもので、容器部１１と蓋部１２とを有する。容器部１１では、着脱可能な底蓋１３を外すことによって、ティッシュペーパ９の後記包装体８を収納することができる。図における双頭矢印Ａ，Ｂ，Ｃは、収納容器１０の上下方向、横方向、前後方向を示している。
【００１６】
図２は、図１のＩＩ−ＩＩ線断面図であって、収納容器１０に納まる包装体８とティッシュペーパ９とが仮想線で示されている。ＩＩ−ＩＩ線は、収納容器１０の底蓋１３における前後方向Ｃの寸法を二等分する位置にある。容器部１１は、上下方向Ａで対向する頂面部１４と底面部１６とを有し、頂面部１４は横方向Ｂの中央部分に凹状に形成された蓋受け止め部１５を有する。蓋受け止め部１５は、シリコーンゴムや熱可塑性のエラストマー等の柔軟弾性材料で形成されていて所要部位が容易に弾性変形する仕切板１７と、仕切板１７を上下方向Ａからサンドウィッチしている上方部位１８と、下方部位１９とを有する。仕切板１７は、ティッシュペーパ９を取り出すための開口２１が形成され、横方向Ｂの両側では起立部２２が上方に向かって延びている。開口２１は、適宜の形状にすることができ、図示例では仕切板１７に形成されたスリットが横方向Ｂと前後方向Ｃとに延びて十字を画く形状が採用されている。起立部２２は、開口２１を囲繞するように環状に形成されている。仕切板１７はまた、開口２１と起立部２２との間に厚さが一様で平坦な板状部２３を有する。
【００１７】
蓋受け止め部１５における上方部位１８は、下方部位１９とは別体のもので、下方部位１９を形成している材料とは異なる材料で形成することができるが、下方部位１９を形成している材料と同じ材料、例えば硬質の熱可塑性合成樹脂を使用して形成することができる。上方部位１８はまた、仕切板１７と一体となるように、射出成形の技術の一つである二色成形の技術を使用して成形することができる。上方部位１８には、開口２１よりも大きな上方開口２４が形成されている。上方部位１８にはまた、起立部２２の基端部２６に横方向Ｂから当接する周縁部２７が形成されている。周縁部２７は、起立部２２の両側に位置するものが起立部２２を貫通する連結部２７ａを介してつながっている。連結部２７ａは、二色成形を実施する際に、起立部２２の両側に周縁部２７を形成するための成形材料の流路として利用された部分であるが、蓋受け止め部１５においての連結部２７ａは、仕切板１７と上方部位１８とを分離することがないように一体化させるように作用している。連結部２７ａは、起立部２２の周方向に間隔をあけて複数設けることができる（図３参照）。
【００１８】
蓋受け止め部１５における下方部位１９は、容器部１１の側壁部分３４等と同時に射出成形することのできる部分であって、仕切板１７を形成している材料に比べて硬質の材料、例えばポリプロピレンやポリエチレン等の熱可塑性合成樹脂によって形成されている。かかる下方部位１９には仕切板１７の下面１７ｂが接着または溶着により接合されている。下方部位１９にはまた、開口２１よりも大きい下方開口２５が形成されている。上方開口２４と開口２１と下方開口２５とは、ティッシュペーパ９を取り出すことができるように、位置合わせをしてある。上方開口２４と開口２１と下方開口２５とのそれぞれは、ティッシュペーパ９の取り出しが容易になるように、大きさや形状を適宜変更することができる。
【００１９】
蓋部１２は、蓋受け止め部１５における上方部位１８および／または下方部位１９と同じ硬質の材料、例えば硬質の熱可塑性合成樹脂よって形成されていて、蓋受け止め部１５の内側に開閉可能に嵌合している。蓋部１２は、それが閉じた状態にあるときに収納容器１０の外面の一部分を形成する外面部２８と、開口２１と向かい合う内面部２９とを有する。内面部２９には、蓋受け止め部１５に向かって直状に延び、起立部２２の頂部３２における傾斜した部分３１に当接する垂下部３０が形成されている。その垂下部３０は、頂部３２を囲繞するように環状に形成されている。頂部３２における傾斜した部分３１は、起立部２２の外側から内側に向かって上り勾配となるように傾斜している。頂部３２はまた、傾斜した部分３１において、下方から上方に向かって厚さが次第に薄くなるように形成されていて、垂下部３０が当接すると、径方向の内側に向かって容易に弾性変形する。その弾性変形に伴って、起立部２２は上下方向Ａの高さが僅かに低くなることがある。このように互いに当接している起立部２２と垂下部３０とは、一体となって開口２１を囲繞する周壁部７２を形成している。周壁部７２の内側では、蓋部１２の内面部２９が開口２１と対向する天井部７３を形成している。これら周壁部７２と天井部７３とによって、開口２１の上方には気密性のある空間７４が形成され、湿潤状態にあるティッシュペーパ９の乾燥を防ぐことができる。このような収納容器１０では、蓋部１２と容器部１１のうちの蓋受け止め部１５とが本発明における蓋部開閉構造を形成している。
【００２０】
蓋部開閉構造においては、蓋受け止め部１５が蓋部１２によって開閉し、ティッシュペーパ９を取り出すことのできる開口２１を有するとともに、蓋部１２を上下方向Ａへ旋回可能に支持していて、蓋部１２が蓋受け止め部１５に対して離脱可能に係合する。また、蓋部１２が閉じた状態にあるときには、蓋部１２と蓋受け止め部１５との所要部位どうし、例えば垂下部３０と起立部２２とが上下方向Ａにおいて当接して周壁部７２を形成する。垂下部３０と起立部２２とのいずれか、例えば起立部２２は柔軟弾性材料によって形成されていて、周壁部７２の径方向へ弾性変形している。
【００２１】
なお、本発明において硬質の材料というときには、収納容器１０において、収納容器１０のいずれかの部分を形成している柔軟弾性材料に当接したときに、変形することのない部分を形成している材料であることを意味している。また、ある部分が柔軟弾性材料で形成されているとは、硬質の材料で形成されている部分が当接したときに弾性的に容易に変形する材料で形成されている部分であることを意味している。
【００２２】
図示例で明らかなように、容器部１１における内面の適宜の部位には、収納している包装体８の揺動を防ぐために、リブ３３が形成されている。
【００２３】
図３は、図１のＩＩＩ−ＩＩＩ線断面図であって、上方に向かって旋回した状態にある蓋部１２が仮想線で示されている。ＩＩＩ−ＩＩＩ線は、収納容器１０の底蓋１３における横方向Ｂの寸法を二等分する位置にある。図の右方において、蓋部１２は、それに形成された軸部３６が蓋受け止め部１５に形成された軸受部３７に回動可能に挿入されていて、双頭矢印Ｅで示すように上下方向へ往復旋回運動することによって、ティッシュペーパ９を取り出すための開口２１を開閉することができる。軸部３６と軸受部３７とは、収納容器１０のヒンジ部３８を形成している。軸部３６の近傍では、蓋受け止め部１５における下方部位１９と蓋部１２との間に、ばね部材４０が蓄勢状態で介在していて、蓋部１２をそれが開く方向へ付勢している。図示例のばね部材４０は、合成ゴムや天然ゴムで形成された弾性帯片であって、この弾性帯片が適宜回数だけ折り重ねられるとともに、弾性帯片の長さ方向における一方の端部４１が蓋受け止め部１５における下方部位１９に対して固定され、もう一方の端部４２が蓋部１２に対して固定されることによって、ばね部材４０が蓄勢状態にある。一方の端部４１は、下方部位１９と上方部位１８とによる挟持によって固定してあり、もう一方の端部４２は、おさえ部材４３を使用して、蓋部１２の内面部２９に形成された突起４４に対して固定してある。ばね部材４０は、図示例のものに代えて、コイルスプリング等の慣用のばね材料を使うことができる。
【００２４】
図３の左方において、閉じた状態にある蓋部１２の内面部２９からは、ラッチ４６が下方に向かって延びている。ラッチ４６の下端部分では、係合用突起部４７がラッチ４６に対してのキーパー部となるラッチ受け部材５１に向かって延びている。容器部１１の前方部分４８（図１を併せて参照）には、蓋受け止め部１５の一部分である凹部４９が形成されていて、ラッチ受け部材５１が収納されるとともに、閉じた状態にあるときの蓋部１２におけるラッチ４６がそのラッチ受け部材５１に進入している。蓋部１２が閉じた状態にあるときに、凹部４９の頂部開口４９ａは蓋部１２によって覆われていて、収納容器１０の外からは見えることがなく、収納容器１０の外観に影響を与えることがない。ラッチ４６を係合させるためのラッチ受け部材５１は、蓋受け止め部１５における上方部位１８の前方への延出部５２が上方から当接していることによって、凹部４９から上方へ抜け出ることがない。また、ラッチ受け部材５１は、上端部と下端部とに形成された小突起５３が凹部４９と上方部位１８の延出部５２とに形成された隆起部５４ａ，５４ｂに前後方向Ｃから当接し得る状態にあることによって、前後方向Ｃにおいて揺動することがない。図３においてもまた、仕切板１７には、起立部２２を貫通して延びる連結部２７ａが形成されている。
【００２５】
図４は、図３におけるＩＶ−ＩＶ線矢視図であって、凹部４９に収納されているラッチ受け部材５１の前面部５１ａを示している。ただし、図示の前面部５１ａは、そこに多数のドットを記入することによって、前面部５１ａとその他の部分との識別が容易となるようにしてある。図４における（ａ）−（ｆ）は、蓋部１２が閉じてから開くまでのティッシュペーパ使用者による一連の操作に対応するもので、ラッチ４６の突起部４７がラッチ受け部材５１に進入してから退出するまでの過程を示している。蓋部がこの過程をたどって開閉する収納容器１０は、いわゆるプッシュロック／プッシュオープンのロック機構を有する容器の一種である。
【００２６】
図４の（ａ）は、蓋部１２を閉じようとするときに、ラッチ４６の突起部４７がラッチ受け部材５１に進入し始めているときの状態を示している。この状態では、凹部４９において、ラッチ受け部材５１が横方向Ｂの両側にスライド運動できるように、ラッチ受け部材５１と凹部４９の両側部との間にクリアランス６１が形成されている。ラッチ受け部材５１は、小突起５３が凹部４９と上方部位１８の延出部５２とに形成された隆起部５４ａ，５４ｂを横方向Ｂにおいて摺動することによって、横方向Ｂへの直線的なスライド運動が可能である。ラッチ受け部材５１は、その前面部５１ａに溝部６２が形成されている。溝部６２は、蓋部１２を閉じるときに溝部６２の出入口６２ａから進入したラッチ４６の突起部４７を下方に向かって案内することのできる進入路６３と、その突起部４７を下方から上方に向かって案内し、出入口６２ａから退出させることのできる退出路６４と、進入路６３と退出路６４との間にあって、これら両路６３，６４の最下端部６５，６６につながる係合部６７とを有する。係合部６７は、最下端部６５，６６のそれぞれから所要寸法だけ上方に位置していて、ばね部材４０（図３参照）の作用によって蓋部１２とともに図の上方へ付勢されているラッチ４６の突起部４７を下方から上方に向かって圧接する態様で係合させ、静止させることができる。
【００２７】
図４の（ｂ）において、蓋部１２を下方に向けてさらに旋回させると、ラッチ４６は、下方に向かって直線的に進む。ただし、進入路６３は図示の如く曲線を画いていることによって、突起部４７は進入路６３の側壁部分を押圧し、ラッチ受け部材５１を図の左方へスライドさせる。ラッチ４６がこのように進む間に、蓋部１２は、ばね部材４０の付勢に抗しながら、容器部１１における起立部２２を蓋部１２の垂下部３０によって押圧して、起立部２２を弾性的に変形させる。
【００２８】
図４の（ｃ）において、突起部４７が進入路６３の最下端部６５に到達すると、蓋部１２を閉じようとするティッシュペーパ使用者に対して、ラッチ４６の行き止まり感、すなわち蓋部１２が完全に閉じたという感じを与えることができる。最下端部６５に位置する突起部４７は、進入路６３の最下端部６５の手前に形成されていて、突起部４７の上方への動きを阻止する段差部６８ａを通過していることによって、進入路６３を逆行して上昇するということがない。
【００２９】
さらに図４の（ｃ）において、閉じた蓋部１２から手を離すと、ばね部材４０の付勢下にあり、かつ、起立部２２の弾性復元力が作用している蓋部１２は、開く方向へ、すなわち上方に向かって旋回する。すると、突起部４７は、逆行を防止するもう一つの段差部６８ｂを通過し、上方に向かって凸となるように湾曲している係合部６７に向かって上昇し、図４の（ｄ）の状態となる。このときの突起部４７は、係合部６７に下方から圧接することにより係合していて、静止した状態にある。突起部４７が静止しているときに、蓋部１２は、ばね部材４０の付勢に抗して閉じた状態にある。また、蓋部１２の垂下部３０が容器部１１における起立部２２の頂部３２に圧接していることによって、起立部２２は弾性変形しているから、蓋部１２は起立部２２の弾性的な復元力に抗して閉じた状態にある。
【００３０】
図４の（ｅ）においては、突起部４７が退出路６４における最下端部６６に位置している。突起部４７が図４の（ｄ）の状態にあるときに、蓋部１２の外面部２８をラッチ４６の直上に相当する部分７０（図１，３参照）において押圧すると、突起部４７は、逆行を防止する次の段差部６８ｃを通過する方向へ案内されて係合部６７から退出路６４の最下端部６６へと向かう。最下端部６６では、蓋部１２の下降が止まり、ティッシュペーパ使用者にラッチ４６の行き止まり感を与えることができる。
【００３１】
図４の（ｆ）は、突起部４７が退出路６４に案内されて最下端部６６から上昇し、溝部６２の出入口６２ａから外へ出ようとする状態にある。図４の（ｅ）において、蓋部１２から手を離すと、ばね部材４０の付勢下にあるとともに、弾性変形している起立部２２の復元力が作用している蓋部１２は、開口２１を開くように、上方に向かって自動的に旋回し始める。蓋部１２の旋回に伴って、突起部４７は退出路６４に案内されて出入口６２ａに達する。
【００３２】
本発明において、このように形成されている収納容器１０では、蓋部開閉構造における蓋部１２の閉じているときに、環状の垂下部３０が、蓋部開閉構造の蓋受け止め部１５に形成された環状の起立部２２に圧接して、起立部２２を径方向の内側に向かって弾性変形させている。換言すると、図２では垂下部３０が、起立部２２の頂部３２における内径が小さくなるように、起立部２２を横方向Ｂへ変形させ、図３では起立部２２を前後方向Ｃへ変形させている。垂下部３０は、起立部２２をこのように変形させることに伴って、起立部２２を上下方向Ａの寸法が小さくなるように弾性変形させることもある。また、蓋部１２が開くときの垂下部３０は、ラッチ４６の突起部４７が係合部６７から退出路６４の最下端部６６にまで下降するときの上下方向Ａの寸法に対応する寸法だけ、垂下部３０にすでに当接して弾性変形している起立部２２をさらに弾性変形させる。すなわち、起立部２２と垂下部３０とで作る周壁部７２は、突起部４７が係合部６７にあるときでも、両最下端部６５，６６のそれぞれにあるときでも、弾性変形した状態にある。このように使用される収納容器１０では、起立部２２を柔軟弾性材料によって形成して、上下方向Ａにおける周壁部７２の弾性的変形量が十分に大きくなり得るようにしてあることが好ましい。具体的には、周壁部７２において、起立部２２が持つ弾性的に変形可能な量、すなわち弾性的に変形可能な寸法は、蓋部１２が閉じているときに空間７４を気密状態に保つめに必要な上下方向Ａにおける弾性的変形量と、蓋部１２を開くときに、ラッチ４６の突起部４７が係合部６７から退出路６４の最下端部６６にまで移動するときに必要な上下方向Ａにおける弾性的変形量との和よりも大きくなるように起立部２２を作ることが好ましい。
【００３３】
図示例の容器部１１において、蓋受け止め部１５を形成している仕切板１７と、仕切板１７をサンドウィッチしている上方部位１８と下方部位１９とは、相互の機械的な嵌合や適宜形状のファスナーの使用、溶着や超音波接合等の接合手段の使用等によって一体化することができる他に、ホットメルト接着剤等の接着剤を使用して一体化することもできる。また、仕切板１７と上方部位１８とは、既述のように二色成形技術を使用して一体化することもできる。柔軟弾性材料で形成された仕切板１７は、平坦に形成されている板状部２３が硬質材料で形成された上方部位１８と下方部位１９とによってサンドウィッチされていることで、サンドウィッチされていない開口２１の周辺部分のみを弾性的に変形させたり、その変形から弾性的に復元させたりすることができる。また、起立部２２の基端部２６に上方部位１８の周縁部２７を横方向Ｂから当接させることで、起立部２２は、基端部２６が周縁部２７によって固定されるから、頂部３２のみが弾性変形するようになって、垂下部３０との圧接力が高まるようになる。周縁部２７における連結部２７ａの存在によって、周縁部２７による基端部２６の固定が確実になる。
【００３４】
収納容器１０はまた、起立部２２と垂下部３０との両者を柔軟弾性材料で形成する態様で実施することもできる。ただし、その場合でも、起立部２２と垂下部３０との間では、材料の柔軟性に差をもたせておくことが好ましい。
【００３５】
収納容器１０ではさらに、起立部２２の頂部３２が、図示例とは異なり、起立部２２の外側から内側に向かって下り勾配となる態様で実施することもできる。この態様における垂下部３０は、起立部２２の内面に圧接させて、起立部２２を径方向の外側へ、図２の場合でいえば横方向Ｂにおける外側に向かって変形させる。
【００３６】
図示例の収納容器１０は、ティッシュペーパ９を収納するためのものであったが、本発明に係る収納容器に収納すべき物品は、ティッシュペーパに限らない。
【００３７】
本発明に係る収納容器１０の蓋部開閉構造では、起立部２２と垂下部３０とがこれまでに説明した態様のいずれにあっても、蓋部１２が閉じるときに、蓋受け止め部１５の一部分と蓋部１２における一部分とが互いに密着するように当接して、開口２１を囲繞する弾性変形可能な周壁部７２を形成するとともに、蓋部１２が周壁部７２の内側に開口２１と対向する天井部７３を形成して、開口２１の上方には気密性のある空間７４が形成される。
【００３８】
図５は、本発明の実施態様の一例を示す図３と同様な図であるが、収納容器１０はその一部分のみが示してある。その収納容器１０では、蓋部１２として、垂下部３０が形成されておらず、内面部２９が平滑であるものが使用されている。蓋部１２を閉じると、内面部２９に対して容器部１１における丈の高い起立部２２の頂部３２が圧接して、周壁部７２と天井部７３と気密性のある空間７４とが形成される。その周壁部７２は、起立部２２によって形成されている。なお、本発明は、図示例と異なり、容器部１１に起立部２２が形成されておらず、蓋部１２を閉じるときに、蓋部１２において柔軟弾性材料で形成されている垂下部３０が容器部１１において硬質材料で形成されている上方部位１８の平滑な部位に圧接する態様で実施することもできる。この態様では、蓋部１２が閉じるときに、蓋部１２と容器部１１とが協働することによって、垂下部３０が本発明における周壁部７２を形成する。
【００３９】
図６もまた、本発明の実施態様の一例を示す図３と同様な図（ａ）と、図（ａ）の部分拡大図（ｂ）とである。ただし、その部分拡大図では、起立部２２と垂下部３０とが斜視図で示されている。この収納容器１０では、起立部２２の傾斜した部分３１における外面３１ａに隆起部８１が形成されている。隆起部８１は、蓋部１２が閉じているときの垂下部３０における下端部３０ａに隣接した位置にある。蓋部１２を開くために、蓋部１２の部分７０（図３参照）を押すと、垂下部３０は矢印Ｆで示すように下降して、起立部２２を変形させながら隆起部８１の上に乗って仮想線の状態になる。この状態では、隆起部８１の両側において、起立部２２と垂下部３０との間に空間７４（図３参照）の内側に通じる隙間８４が生じ、その隙間８４において空間７４の外側から内側に向かって空気（図においてＡｉｒと表記）の流入が可能になる。図４の（ａ）−（ｄ）の過程を経て、容器部１１に対して蓋部１２を閉じるときには、図４の（ａ）−（ｃ）までの過程において形成された空間７４は、蓋部１２が図４の（ｄ）に相当する位置に来ると、内容積が少しだけ大きくなることに伴い、空間７４の外部と比較して陰圧になることがある。そのような状態にあるときの蓋部１２は、ばね部材４０（図３参照）による付勢と起立部２２の弾性的復元力との作用下に速やかに開くことができるものであっても、空間７４が陰圧であることによって、そのようには開くことができないとういうことがある。しかし、図示例の隆起部８１を有する収納容器１０では、蓋部１２が開く直前に、空間７４がその外部に対して開放状態になるので、蓋部１２を速やかかつスムーズに開くことができる。なお、起立部２２の頂部３２が起立部２２の外側から内側に向かって下り勾配となるときには、隆起部８１を外面３１ａではなくて、その反対面である内面（図示せず）に形成する。このように、起立部２２の外面３１ａまたは内面のいずれかの表面に隆起部８１を形成することは、蓋部１２の開閉を容易にするように作用する。
【００４０】
図７もまた、本発明の実施態様の一例を示す図４の（ｅ）と同様な図である。図７における容器部１１では、凹部４９においてラッチ受け部材５１の背後に位置する後部壁８３に空間７４（図３参照）に通じる透孔８２が形成されている。透孔８２は、ラッチ受け部材５１が図示の位置、すなわち図４の（ｅ）における位置にあるときに露出した状態になって、空間７４と空間７４の外側に位置する凹部４９とを通気可能につなぐことができる。凹部４９は、容器部１１と蓋部１２との間に生じる間隙４９ｂ（図６（ａ）参照）を介して収納容器１０の外側と通気可能につながっている。ただし、ラッチ受け部材５１は、図４の（ａ）−（ｄ）および（ｆ）の状態にあるときに、透孔８２を通気不能に覆うことができる。このような透孔８２もまた、蓋部１２が開く直前に、空間７４をその外部に向かって開放し、陰圧であった空間７４を常圧に戻すように作用する。
【００４１】
収納容器１０箱のような作用を有するものであるが、収納すべき物品は、ティッシュペーパ９に限定されるわけではなく、どのような物品でも収納することができる。
【００４２】
図８は、本発明のうちの第２発明が対象とする蓋部開閉構造を含む構造体１１０の斜視図である。構造体１１０における蓋部開閉構造は図１に例示の収納容器１０における蓋部開閉構造と実質的に同じであるから、構造体１１０のうちで収納容器１０における部位と同じ作用を有するとみなされる部位については、収納容器１０における参照符号に１００を加えた参照符号が使用されている。かかる構造体１１０は、蓋部１１２と蓋受け止め部として作用する蓋受け止め部１１５とを有する。蓋部１１２は、前後方向Ｃにおける前方部分に開閉のために使用するラッチ１４６を有し、後方部分がヒンジ部１３８を介して蓋受け止め部１１５に取り付けられている。蓋受け止め部１１５は、蓋部１１２の周縁に沿って延びる環状の外周縁部１１５ａを有する。
【００４３】
図９は、図８の蓋部１１２において、ラッチ１４６の指あて部１４６ａ（図１０参照）に下方から指を当てて、蓋部１１２を矢印Ｆで示す上方へ向けて旋回させたときの構造体１１０の斜視図である。蓋部１１２は、それが閉じているときに構造体１１０の外面の一部分を形成する外面部１２８と、蓋受け止め部１１５と向かい合う内面部１２９とを有する。内面部１２９には、環状の垂下部１３０が形成されている。
【００４４】
図９において、蓋受け止め部１１５には、環状の起立部１２２が形成されている。起立部１２２の内側には、十字形の開口１２１と、開口１２１よりも大きな十字形の上方開口１２４とが形成されている。外周縁部１１５ａには、蓋部１１２におけるラッチ１４６に対してのキーパー部となるラッチ受け部１５１が形成されている。蓋部１１２を矢印Ｇで示す下方に向かって旋回させると、ラッチ１４６とラッチ受け部１５１とが係合するとともに、蓋部１１２が蓋受け止め部１１５における外周縁部１１５ａの内側に嵌合し、図８の状態になる。ラッチ１４６とラッチ受け部１５１とが係合するときには、これら両者のうちの少なくとも一方が弾性的に変形する。
【００４５】
図１０は、図８におけるＸ−Ｘ線断面図であって、図９の状態にある蓋部１１２が仮想線で示されている。図１０にはまた、構造体１１０の使用対象となるティッシュペーパ１０９の包装体１０８と、包装体１０８から取り出されたティッシュペーパ１０９とが仮想線で示されている。
【００４６】
図１０において、蓋受け止め部１１５は、シリコーンゴム等の柔軟弾性材料で形成されていて、所要部位が容易に弾性変形するように形成されている仕切板１１７と、仕切板１１７をサンドウィッチしていて硬質材料で形成されている上方部位１１８と下方部位１１９とを有する。仕切板１１７は、ティッシュペーパ１０９を取り出すための開口１２１が形成され、前後方向Ｃの両側では起立部１２２が上方に向かって延びている。起立部１２２の頂部１３２は、起立部１２２の外側から内側に向かって上り勾配となるように傾斜している。その頂部１３２はまた、下方から上方に向かって厚さが次第に薄くなるように形成されている。かような起立部１２２は開口１２１を囲繞するように環状に形成されている。仕切板１１７はまた、平坦に形成された板状部１２３を有している。
【００４７】
蓋受け止め部１１５における上方部位１１８と下方部位１１９とは別体のものであるが、同じ硬質の材料、例えば硬質の熱可塑性合成樹脂を使用して作ることができる。また、これら両者１１８，１１９は、種類の異なる硬質の材料で形成することもできる。上方部位１１８はまた、仕切板１１７と一体となるように収納容器１０で採用した二色成形の技術を使用して成形することができる。上方部位１１８には、起立部１２２の基端部１２６に前後方向Ｃから当接する周縁部１２７が形成されている。周縁部１２７は、起立部１２２の両側に位置するもので、起立部１２２を貫通する連結部１２７ａを介してつながっている。連結部１２７ａは、二色成形を実施する際に、起立部１２２の両側に周縁部１２７を形成するための成形材料の流路として利用された部分である。連結部１２７ａは、起立部１２２の周方向に間隔をあけて複数設けることができる。
【００４８】
下方部位１１９は、上面１１９ａと下面１１９ｂとを有し、上面１１９ａが仕切板１１７の下面１１７ｂに対して接着または溶着により接合している。下方部位１１９にはまた、横方向Ｂと前後方向Ｃとの中央部分に、開口１２１よりも大きい下方開口１２５が形成されていて、下面１１９ｂには下方開口１２５を囲繞するように粘着域１８５が形成されている。接着域１８５は、下面１１９ｂに対する粘着剤の塗布や両面粘着紙の粘着によって形成される。使用前の構造体１１０では、粘着域１８５がセパレータ（図示せず）によって被覆保護されている。下方部位１１９の前方部分には、ラッチ１４６に対してのキーパー部であるラッチ受け部１５１が形成されている。ラッチ１４６は、その先端部分に形成された突起部１４７がラッチ受け部１５１に対して離脱可能に係合して、蓋受け止め部１１５において蓋部１１２を閉じた状態に維持することができる。下方部位１１９の後方部分には、蓋部１１２における軸部１３６が摺動可能に挿入される軸受部１３７が形成されていて、軸部１３６と軸受部１３７とが構造体１１０におけるヒンジ部１３８を形成している。
【００４９】
蓋部１１２では、垂下部１３０が内面部１２９から蓋受け止め部１１５の起立部１２２に向かって延びていて、起立部１２２の頂部１３２に圧接している。そのときの起立部１２２は、頂部１３２における内径が小さくなるように、径方向の内側に向かって変形している。このような状態にある起立部１２２と垂下部１３０とは、開口１２１を囲繞する環状の周壁部１７２を形成している。蓋部１１２は、開口１２１と対向する天井部１７３を有し、周壁部１７２と天井部１７３とは、開口１２１の上方に気密性の空間１７４を形成している。
【００５０】
図１０においてはまた、セパレータ（図示せず）を剥離した後の構造体１１０が粘着域１８５を介してウェットタイプであるティッシュペーパ１０９の包装体１０８に取り付けられている。包装体１０８は、図２における包装体８と同じもので、ティッシュペーパ１０９を一枚ずつ取り出すことのできる取り出し口（図示せず）を有し、その取り出し口は、構造体１１０における開口１２１と上方開口１２４と下方開口１２５とに重なっている。構造体１１０は、その取り出し口の周囲に対して気密性のある状態で剥離可能に接合している。このように形成されている構造体１１０はまた、図１における収納容器１０の蓋部開閉構造と同様に、蓋部１１２が蓋受け止め部１１５に離脱可能にラッチ係合して、気密性の空間１７４を形成する蓋部開閉構造を有するから、包装体１０８の取り出し口が開放状態にあっても、また図示例の如く、ティッシュペーパ１０９の一部分が空間１７４に取り出された状態にあっても、ティッシュペーパ１０９は、容易に乾燥することがなく、湿潤状態を長く維持することができる。構造体１１０は、空になった包装体１０８から剥離することによって、再度使用することができる。構造体１１０ではまた、熱可塑性合成樹脂を使用して蓋部１１２と蓋受け止め部１１５とを一体的に成形し、その際に蓋部１１２と蓋受け止め部１１５との間には肉厚が薄くて折曲の繰り返しが容易な連結部を設けておき、ヒンジ部１３８に代えて、その連結部を使って蓋受け止め部１１５に対して蓋部１１２を往復旋回運動させてもよい。
【００５１】
これまでに説明した本発明に係る第１発明と第２発明とは、少なくとも以下のように整理することができる。
【００５２】
（第１発明）
蓋部と、蓋受け止め部とを有し、前記蓋受け止め部が前記蓋部によって開閉する開口が形成されるとともに前記蓋部を上下方向へ旋回運動可能に支持し前記開口を閉じる方向へ旋回運動する前記蓋部を受け止めて離脱可能に係合させる蓋部開閉構造であって、前記蓋部が前記開口を閉じている状態の前記蓋部開閉構造では、前記蓋部と前記蓋受け止め部との所要部位どうしが前記上下方向において互いに当接して前記開口を囲繞する周壁部を形成し、前記所要部位の少なくとも一方が柔軟弾性材料によって形成されていて、前記周壁部では、前記少なくとも一方が前記周壁部の径方向へ弾性変形した状態にあり、前記周壁部では、前記蓋受け止め部において前記開口を囲繞するとともに前記蓋部に向かって延びる環状の起立部と、前記蓋部から前記蓋受け止め部に向かって延びる環状の垂下部とが、前記所要部位のそれぞれを形成しており、前記起立部は、前記柔軟弾性材料によって形成されていて、前記垂下部に当接して弾性変形する頂部を有し、前記頂部は前記起立部の径方向の外側から内側に向かって上り勾配となるかまたは下り勾配となるいずれかの態様にあり、前記垂下部は前記頂部に当接するように延びているが、前記頂部に当接しても変形することのない硬質材料で形成されていて、前記蓋受け止め部は、前記柔軟弾性材料で形成された板状部を有し、前記板状部には前記開口と環状の前記起立部とが形成され、前記起立部の径方向内側では、前記板状部の一部分が前記硬質材料でサンドウィッチされた状態にある。
【００５３】
また、第１発明には、少なくとも以下の実施態様がある。
（１）前記蓋受け止め部は、前記開口を閉じている前記蓋部と対向する表面と、前記表面の反対面である裏面とを有し、前記裏面の少なくとも一部分に粘着域が形成されている。
【００５４】
（第２発明）
収納した物品を取り出すための開口が頂面部に形成された容器部と、前記容器部に取り付けられて前記開口を開閉できる蓋部とを有する前記物品の収納容器であって、前記収納容器には、前記蓋部と、前記頂面部にあって前記蓋部を旋回運動可能に支持し前記開口を閉じる方向へ旋回運動する前記蓋部を受け止めて離脱可能に係合させる蓋受け止め部とを有する蓋部開閉構造が使用され、前記蓋部は、前記開口を開く方向へ付勢されていて、前記容器部に向かって延びるラッチが形成され、前記蓋受け止め部には前記ラッチに対するキーパー部が形成され、前記キーパー部は、前記ラッチを上方から下方に向かって案内する進入路と、前記ラッチを前記下方から前記上方に向かって案内する退出路と、前記進入路と前記退出路との最下端部それぞれにつながり前記最下端部それぞれよりも前記上方に位置して前記ラッチを係合させて静止させることにより付勢されている前記蓋部を閉じた状態に維持することができるラッチ係合部とを有し、前記蓋部が前記開口を閉じている状態の前記蓋部開閉構造では、前記蓋部と前記蓋受け止め部との所要部位どうしが前記上下方向において互いに当接して前記開口を囲繞する周壁部を形成し、前記所要部位の少なくとも一方が柔軟弾性材料によって形成されていて、前記周壁部では、前記少なくとも一方が前記周壁部の径方向へ弾性変形可能であって、前記ラッチが、前記キーパー部の前記最下端部それぞれに位置しているときにおいても前記キーパー部の前記ラッチ係合部に位置しているときにおいても、弾性変形した状態にあり、前記蓋受け止め部において前記開口を囲繞するとともに前記蓋部に向かって延びる環状の起立部と、前記蓋部において前記蓋受け止め部に向かって延びる環状の垂下部とが前記所要部位のそれぞれを形成しており、前記蓋部が前記開口を閉じている状態では、前記起立部と前記垂下部とが前記上下方向において互いに当接して前記周壁部を形成していて、前記起立部と前記垂下部とは、一方が前記柔軟弾性材料によって形成され、もう一方が硬質材料によって形成されており、前記蓋受け止め部は、前記柔軟弾性材料で形成された板状部を有し、前記板状部には前記開口と環状の前記起立部とが形成され、前記起立部の径方向内側では、前記板状部の一部分が前記硬質材料でサンドウィッチされた状態にある。
【００５５】
また、第２発明には、少なくとも以下の実施態様がある。
（１）前記起立部と前記垂下部とが前記柔軟弾性材料によって形成されている。
（２）前記起立部は、前記柔軟弾性材料によって形成されていて、前記垂下部に当接して弾性変形する頂部を有し、前記頂部は前記起立部の径方向の外側から内側に向かって上り勾配となるかまたは下り勾配となるいずれかの態様にあり、前記垂下部は前記頂部に当接するように延びているが、前記頂部に当接しても変形することのない前記硬質材料で形成されている。
（３）前記起立部の表面には、隆起部が形成され、閉じている前記蓋部を開くために前記蓋部を前記容器部に向かって押圧すると、前記蓋部における前記垂下部が前記隆起部に前記上方から当接して、前記起立部と前記垂下部との間に前記周壁部の内外に通じる通気性の隙間が形成される。
（４）前記容器部には、前記容器部の内外に通じる通気性の透孔が形成され、前記容器部に摺動可能に組み込まれた前記キーパー部が摺動することによって前記透孔が開閉される。
（５）前記周壁部は、前記蓋受け止め部において前記開口を囲繞するとともに前記蓋部に向かって延びる弾性変形可能な前記起立部と、前記蓋部が閉じた状態にあるときに、前記起立部の頂部が当接する前記蓋部の内面とによって形成されている。
（６）前記容器部には、前記容器部の内外に通じる通気性の透孔が形成され、前記容器部に摺動可能に組み込まれた前記キーパー部が摺動することによって前記透孔が開閉される。
【符号の説明】
【００５６】
１０    収納容器
１１    容器部
１２    蓋部
１５    蓋受け止め部
２１    開口
２２    起立部
３０    垂下部
３２    頂部
４６    ラッチ
４７    先端部（突起部）
５１    ラッチ受け部
６３    進入路
６４    退出路
６５    最下端部
６６    最下端部
６７    係合部
７２    周壁部
７３    天井部
８１    隆起部
８３    透孔
１１０    構造体
１１２    蓋部
１１５    蓋受け止め部
１２１    開口
１２２    起立部
１３０    垂下部
１３７    頂部
１４６    ラッチ
１５１    ラッチ受け部
１７２    周壁部
１７３    天井部
【図１】
0005981977.tif 000002
【図２】
0005981977.tif 000003
【図３】
0005981977.tif 000004
【図４】
0005981977.tif 000005
【図５】
0005981977.tif 000006
【図６】
0005981977.tif 000007
【図７】
0005981977.tif 000008
【図８】
0005981977.tif 000009
【図９】
0005981977.tif 000010
【図１０】
0005981977.tif 000011